(57)【要約】【課題】  ディスクなどの記録媒体を再生する際に音声フォーマットなどの再生設定が適切に行えるようにする。【解決手段】  所定の記録媒体に記録されたコンテンツを再生する場合に、装着された記録媒体の再生対象のコンテンツについて、選択可能な設定を記録媒体より再生し、過去に同じコンテンツを再生させた際の再生設定が記憶されている場合に、その設定で再生を行い、再生設定が記憶されていない場合に、選択可能な再生設定の一覧を表示させる処理を行うようにした。【選択図】      図２ 
2005129171.tif 000002
【特許請求の範囲】
【請求項１】
所定の記録媒体に記録されたコンテンツを再生する再生方法において、
装着された記録媒体の再生対象のコンテンツについて、選択可能な設定を記録媒体より再生し、過去に同じコンテンツを再生させた際の再生設定が記憶されている場合に、その設定で再生を行い、再生設定が記憶されていない場合に、選択可能な再生設定の一覧を表示させる処理を行う
再生方法。
【請求項２】
請求項１記載の再生方法において、
前記選択可能な再生設定は、再生させる音声フォーマット又は音声言語の選択である
再生方法。
【請求項３】
請求項１記載の再生方法において、
前記選択可能な再生設定の一覧を表示させた場合に、その一覧の中から選択する操作が所定時間ない場合に、予め決められた再生設定とする
再生方法。
【請求項４】
所定の記録媒体に記録されたコンテンツを再生する再生装置において、
装着された記録媒体に記録されたコンテンツを再生する再生手段と、
過去にコンテンツを再生した際の設定を記憶する記憶手段と、
再生対象のコンテンツについて、選択可能な再生設定を前記記録媒体より再生し、前記記憶手段に該当するコンテンツの再生設定が記憶されている場合に、その設定で再生を行い、再生設定が記憶されていない場合に、選択可能な再生設定の一覧を表示させる制御手段とを備えた
再生装置。
【請求項５】
請求項４記載の再生装置において、
前記選択可能な再生設定は、再生させる音声フォーマット又は音声言語の選択である
再生装置。
【請求項６】
請求項４記載の再生装置において、
前記制御手段は、選択可能な設定の一覧を表示させた場合に、その一覧の中から選択する操作が所定時間ない場合に、予め決められた再生設定とする
再生装置。
【発明の詳細な説明】
【技術分野】
【０００１】
本発明は、例えば、ＤＶＤ（Digital Video Disc又はDigital Versatile Disc）に適用して好適な再生方法及び装置に関する。
【背景技術】
【０００２】
従来、ＤＶＤなどの記録媒体においては、映像プログラムによるコンテンツを記録する際に、音声データの記録フォーマットとして、複数種類のものの中から選ばれたものが記録できるようにしてあり、また、１つの映像プログラムに対して複数種類のフォーマットの音声データが記録されている場合もある。
【０００３】
例えば、ＤＶＤの場合の記録方式として、「Dolby Digital 5.1CH 」と称される５．１チャンネルの記録方式と、「Dolby Digital 2.0CH 」と称される２チャンネルの記録方式と、「dts 5.1CH 」の記録方式などがある（一般にこれらの名称はそれぞれの方式を開発した会社の商標である）。また、同じ音声フォーマットであっても、言語の種類が異なる複数種類のものが記録されている場合もある。
【０００４】
このように複数種類の音声データが記録されている場合、ユーザが再生操作を行う毎に、そのときの再生環境などに適した最適な音声フォーマットを選択するのが好ましいが、ＤＶＤ再生装置の操作性を改善するために、例えばどの音声フォーマットを優先して選択するかを、予め再生装置に設定しておいて、その設定された優先順位に従って、装着されたディスクに記録された音声データのフォーマットの中から、優先順位が高いものを自動的に選ぶようにしたものが提案されている。特許文献１には、かかる処理を行うディスク再生装置についての開示がある。
【特許文献１】特開２００３−７０３６号公報
【発明の開示】
【発明が解決しようとする課題】
【０００５】
ところが、ディスクに記録された映画などの映像プログラムを再生する際に、どの音声フォーマットを選ぶかは、本来は、そのときに再生する映像プログラムの内容などによってユーザが適切なものを選ぶのが好ましいのであり、再生装置に一律で設定された優先順位で再生させてしまうと、必ずしも適切なフォーマットが選ばれているとは言えない状況が多々発生してしまう。
【０００６】
例えば、動きの激しい内容の映画などの映像プログラムで、効果音などの立体音響を楽しみたいような場合には、チャンネル数の多い音声フォーマットを選ぶのが好ましく、また、コンサートを記録した映像プログラムで、音楽を高音質で楽しみたいような場合には、２チャンネルの音声フォーマットを選ぶのが好ましいような場合が想定されるが、従来のような優先順位を設定して自動的に選択処理では、このような選択を行うことは不可能である。
【０００７】
また、従来再生時に音声フォーマットを選ぶ処理としては、ユーザがリモートコントロール装置などを操作して、メニュー画面を表示させて、そのメニュー画面の中の音声フォーマットを選択する項目を選んで、音声フォーマットを選択する画面を表示させ、その選択画面での表示に基づいた操作を行って、選ぶのが一般的であり、音声フォーマットを選択する画面が表示されるまでに比較的煩雑な操作が必要で、必ずしも簡単に音声フォーマットが選べるとは言えなかった。
【０００８】
なお、ここでは音声フォーマットを再生時に選択する場合の問題について説明したが、例えばＤＶＤの場合には、字幕の言語についても複数種類用意されて、その用意された言語の中から必要なものを選んで再生させる処理などの各種再生設定が必要なものがあり、再生設定として選択可能な処理がある場合には、いずれの処理を行う場合にも同様の問題がある。
【０００９】
本発明はかかる点に鑑みてなされたものであり、ディスクなどの記録媒体を再生する際に再生設定が適切に行えるようにすることを目的とする。
【課題を解決するための手段】
【００１０】
本発明は、所定の記録媒体に記録されたコンテンツを再生する場合に、装着された記録媒体の再生対象のコンテンツについて、選択可能な設定を記録媒体より再生し、過去に同じコンテンツを再生させた際の再生設定が記憶されている場合に、その設定で再生を行い、再生設定が記憶されていない場合に、選択可能な再生設定の一覧を表示させる処理を行うようにしたものである。
【００１１】
このようにしたことで、過去に同じコンテンツを再生させたことがある場合には、その過去に再生させた際の再生設定が自動的に設定されて、再生されるようになる。また、過去に同じコンテンツを再生させたことがない場合には、自動的に選択可能な再生設定の一覧が表示されて、その中からユーザが選択したい再生設定を選ぶことが直ちにできるようになる。
【発明の効果】
【００１２】
本発明によると、過去に同じコンテンツを再生させたことがある場合には、その過去に再生させた際の再生設定が自動的に設定されて、再生されるようになる。また、過去に同じコンテンツを再生させたことがない場合には、自動的に選択可能な再生設定の一覧が表示されて、その中からユーザが選択したい再生設定を選ぶことが直ちにできるようになる。従って、一度も再生設定を選択してない記録媒体を再生させる際には、必ず再生設定を選ぶ画面が表示されるようになり、その画面での表示に基づいて直ちにユーザが所望の選択を行うことができ、メニュー画面を呼び出すような操作をすることなく、簡単に再生設定を行うことができる。また、一度、再生設定を選んだコンテンツを再度再生させる場合には、選択された設定が記憶されているので、その記憶されたものを設定させることで、自動的にそのコンテンツに対する最適な設定が行えるようになる。
【発明を実施するための最良の形態】
【００１３】
以下、本発明の一実施の形態を、添付図面を参照して説明する。
図１は、本発明の一実施の形態に係るディスク再生装置を示すブロック図である。このディスク再生装置１は、映像プログラムなどのコンテンツが記録されたディスク（記録媒体）を再生する装置であり、ここではディスクとしてＤＶＤを再生するものとする。スピンドルモータ２は、サーボ制御回路３の制御により、この装置に装着されたディスクＤを回転駆動する。
【００１４】
サーボ制御回路３は、ＲＦアンプ４より得られるディスクＤの再生結果に基づいてスピンドルモータ２の回転速度を制御し、これにより例えば線速度一定制御によりディスクＤを回転駆動する。また同様のＲＦアンプ４より得られるディスクＤの再生結果に基づいて、光学ピックアップ５をトラッキング制御、フォーカス制御し、またコントローラ６により指示されるトラックに光学ピックアップ５をシークさせる。
【００１５】
光学ピックアップ５は、ディスクＤにレーザ光を照射して戻り光を受光し、受光結果を出力する。ＲＦアンプ４は、コントローラ６の制御により、この光学ピックアップ５から出力される受光結果を演算処理することにより、ディスクＤに形成されたピット列に応じて信号レベルが変化する再生ＲＦ信号を生成して信号処理回路７に出力し、また同様の処理による再生結果をサーボ制御回路３に出力する。
【００１６】
信号処理回路７は、コントローラ６の制御により、ＲＦアンプ４から得られる再生信号ＲＦを２値識別して再生データを得、この再生データを誤り訂正処理、デインターリーブ処理することにより、ディスクＤに記録された各種データを再生する。
【００１７】
ＡＶデコード処理回路８は、コントローラ６の制御により、このようにして信号処理回路７で再生される各種のデータより、所定のビデオデータ、オーディオデータを選択的に入力してデコードし、デコード結果を外部機器に出力する。これにより再生装置１では、別体のモニタ装置（テレビジョン受像機など）１１にビデオデータを出力して、このモニタ装置１１の表示部１１Ａに、ディスクＤに記録されたビデオデータを表示させる。ここで、ＡＶデコード処理回路８では、コントローラ６の制御により、例えば字幕を表示させるためのキャラクタデータや副ビデオデータを、メインのビデオデータと合成して出力し、これにより字幕を表示するようになされている。
【００１８】
また、オーディオデータについては、ＡＶデコード処理回路８内で、そのときの音声再生フォーマットに従ったデコード処理を行い、そのデコード処理されたオーディオデータを各チャンネル毎にアナログ変換して、変換されたオーディオ信号をモニタ装置１１に供給する。ＡＶデコード処理回路８での音声再生フォーマットなどの種類の選択は、コントローラ６の制御で設定される。
【００１９】
モニタ装置１１内では、アンプ１１Ｂによりこのオーディオ信号でスピーカ１１Ｃを駆動する信号とし、ディスクＤに記録された各種のオーディオ信号を出力させる。スピーカ１１Ｃとして、マルチチャンネルオーディオの再生に対応したものである場合には、多数のスピーカが用意されている場合もある。この場合、一部（又は全て）のスピーカがモニタ装置１１と別体で構成されても良い。なお、再生装置１内のＡＶデコード処理回路８でのデコード処理は、モニタ装置１１側で行うか、或いは再生装置１とモニタ装置１１との間に接続された別のデコード装置で行うようにしても良い。
【００２０】
操作釦１２は、この再生装置１の本体、又はリモートコントロール装置に設けられたキーなどの操作手段であり、図示しないインターフェースを介してユーザによる操作をコントローラ６に通知する。
【００２１】
メモリ１４は、この再生装置１により過去に再生したディスクＤの設定を記憶して保持する。メモリ１４としては、不揮発性メモリを使用するのが好ましい。これによりこの再生装置１では、この記憶を参考にして、音声再生フォーマットや字幕などの再生設定を行い、ディスクＤを視聴できるようにしてある。なお、ディスクＤの設定を記憶する記憶領域に空きがなくなった場合には、例えば、最も前に記憶させた情報から消去して、新たなディスクの再生情報を記憶させるようにすれば良い。
【００２２】
コントローラ６は、この再生装置１に搭載されてなるマイクロコンピュータであり、事前にインストールされたプログラムによる所定の処理手順を実行することにより、ユーザによる操作に応動して各部の動作を制御し、ディスクＤを再生する。この処理において、コントローラ６は、ディスクＤに記録された各種の管理情報を、メモリ１４が記憶した過去に再生したディスクＤの設定を参考に判断し、音声再生フォーマットや字幕の表示等を設定する。なお、このコントローラ６のプログラムにおいては、事前のインストールに代えて、インターネット等のネットワーク等を介してダウンロードしたプログラムのインストールにより、さらには各種の記録媒体により提供されるプログラムのインストールにより、提供することができる。
【００２３】
図３は、本例の再生装置１で再生を行うＤＶＤフォーマットのディスクのボリューム空間の構造を示す図である。ＤＶＤディスクにおいては、図３（Ａ）に示すように、リードインエリア側より、ボリュームフィルム構造領域、ＤＶＤ−ビデオ領域、他の記録領域が順次設けられている。ここで、ボリュームファイル構造領域には、ＵＦＤ（Universal Disk Format ）及びＩＳＯ９６６０による管理領域が記録される。これによりＤＶＤディスクにおいては、このボリュームフィルム構造領域の記録によりディスク固有の識別コードであるディスクＩＤを取得できるようになされ、さらには続くＤＶＤ−ビデオ領域に記録されたビデオデータ、オーディオデータを再生できるようになされている。ＤＶＤ−ビデオ領域には、管理情報と共に、ビデオデータ及びオーディオデータが記録される。また他の記録領域は、必要に応じて設けられ、ＤＶＤ−ビデオ領域に記録したビデオデータ及びオーディオデータの再生等で利用可能な各種情報が記録されている。
【００２４】
図３（Ｂ）に示すように、ＤＶＤ−ビデオ領域においては、ビデオデータ及び対応するオーディオデータの組によるビデオタイトルセットＶＴＳ＃１、ＶＴＳ＃２、‥‥、ＶＴＳ＃ｎが順次記録されてビデオデータ及びオーディオデータが記録され、これらビデオタイトルセットＶＴＳ＃１、ＶＴＳ＃２、‥‥、ＶＴＳ＃ｎの先頭にビデオマネージャＶＭＧが記録される。
【００２５】
ここでビデオマネージャＶＧＭは、ビデオタイトルセットＶＴＳ＃１、ＶＴＳ＃２、‥‥、ＶＴＳ＃ｎを管理するＤＶＤ再生装置用の管理情報であり、図３（Ｃ）に示すように、ビデオマネージャ情報ＶＭＧＩ、ビデオマネージャ用ビデオオブジェクトセット（ＶＯＢＳ）、ビデオマネージャ情報ＶＭＧＩのバックアップ情報が順次記録されて形成される。ここでビデオマネージャ情報ＶＭＧＩは、各ビデオタイトルセットＶＴＳ＃１、ＶＴＳ＃２、‥‥、ＶＴＳ＃ｎの再生に必要な情報が割当てられ、ビデオマネージャ用ビデオオブジェクトセットには、ビデオマネージャ情報ＶＭＧＩの内容に対応して、メニュー等の表示、選択に供するビデオデータ等によりビデオオブシェクトが順次割当てられるようになされている。
【００２６】
即ち、図３（Ｄ）に示すように、ビデオマネージャ情報ＶＭＧＩは、ビデオマネージャ情報ＶＭＧＩを管理するビデオマネージャ情報管理テーブル、各種ビデオタイトルセットＶＴＳ＃１、ＶＴＳ＃２、‥‥、ＶＴＳ＃ｎの頭出し用の情報であるサーチポインタを割当てたサーチポインタテーブル（タイトルＳＰテーブル）、各ビデオタイトルセットＶＴＳ＃１、ＶＴＳ＃２、‥‥、ＶＴＳ＃ｎの属性情報を割当てたビデオタイトルセット属性テーブル、ビデオマネージャ用ビデオオブジェクトセットのサーチポインタ等を割当てビデオマネージャメニューＰＣＧＩユニットテーブル、各ビデオタイトルセットＶＴＳ＃１、ＶＴＳ＃２、‥‥、ＶＴＳ＃ｎのパレンタルの情報を割当てたパレンタル情報テーブルにより形成されるようになされている。
【００２７】
これらのサーチポインタテーブルは、図３（Ｅ）に示すように、サーチポインタテーブル全体の情報であるタイトルサーチポインタテーブル情報と、各ビデオタイトルセットＶＴＳ＃１、ＶＴＳ＃２、‥‥、ＶＴＳ＃ｎのサーチポインタが割当てられている。これによりＤＶＤディスクにおいては、記録されたコンテンツについて、総タイトル数を検出できるようになされている。
【００２８】
ビデオマネージャメニューＰＣＧＩユニットテーブルには、図３（Ｆ）に示すように、ビデオマネージャメニューＰＣＧＩユニットテーブル全体の管理情報であるビデオマネージャメニューＰＣＧＩユニットテーブル情報、所定個数のビデオマネージャメニュー言語ユニットサーチポインタ及びビデオマネージャメニュー言語ユニットにより形成される。ここで、これらビデオマネージャメニュー言語ユニットサーチポインタ及びビデオマネージャ言語ユニットは、ビデオマネージャ用ビデオオブジェクトセットに割当てられた各言語によるビデオオブジェクトに対応して設けられ、各言語によるビデオオブジェクトの言語コード、スタートアドレスがビデオマネージャメニュー言語サーチポインタに割当てられるようになされている。これにより再生装置では、言語選択のメニュー画面を表示させることができる。
【００２９】
また、図３では示していないが、ビデオタイトルセット情報として、ビデオタイトルセットの再生に必要な情報が割当ててある。具体的には、例えば、対応するビデオタイトルセットについて、ビデオタイトルセットを特定するビデオタイトルセット識別子、サイズ、対応するＤＶＤビデオ規格、カテゴリ等が割当てられ、さらにその下位のデータで、ビデオデータの属性、対応するオーディオデータのストリーム数、属性、副映像を構成するビデオデータのストリーム数、属性が順次割当てられるようになされている。これらにより、再生装置では、各タイトルを構成するオーディオストリーム数、オーディオストリームの記録フォーマット、副映像ストリーム数などを検出することができる。ディスクに記録されたオーディオデータの記録フォーマットを検出することで、再生する際のオーディオフォーマットを選択するためのメニュー画面を表示させることが可能になる。
【００３０】
再生装置１のコントローラ６は、このようにしてディスクに記録されてなる各種の管理情報に基づいて、各部の動作を制御してディスクを再生する。図２は、このディスクの再生に係るコントローラ６の処理手順を示すフローチャートである。コントローラ６は、電源が立ち上げられると、ステップＳＰ１からステップＳＰ２に移り、ディスクが装填されたか否か判断し、装填されると判断されるまでステップＳＰ２の処理を繰り返す。これによりコントローラ６は、ユーザの操作によりディスクが装填されるのを待機し、ディスクが装填される、ステップＳＰ２からステップＳＰ３に移る。
【００３１】
なおコントローラ６は、操作釦１２の操作に応じて、図示しないトレイ可動機構を可動することにより、ディスクを装着するトレイを出し入れする。また、このトレイを収納した際に、トレイに設けられた開口を介して図示しない光源よりディスクに光を照射して得られる戻り光の有無により、又は光学ピックアップ５よりレーザ光を照射してフォーカスサーチの処理を実行して得られる処理結果より、ディスクの有無を検出し、これによりディスクの装着（装填）を検出するようになされている。
【００３２】
ステップＳＰ３では、ディスクからディスク固有のＩＤを再生すると共に、そのディスクに記録されている音声フォーマットなどの音声記録に関する情報を取得する。そして、ステップＳＰ４に移って、メモリ１４に該当するディスクＩＤに関する情報が記憶されているか否か判断する。ここで、そのディスクＩＤが記憶されている場合には、ステップＳＰ５に移って、そのディスクＩＤについての再生設定の情報をメモリ１４から読出し、その読出した再生設定を、このときのディスク再生の再生条件として設定させる。ここでは、再生設定として、音声フォーマットに関する情報を読出して、その音声フォーマットのデータを再生して出力させるように設定する。
【００３３】
また、ステップＳＰ４で、メモリ１４に該当するディスクＩＤが記憶されていないと判断した場合には、ステップＳＰ６に移って、このとき装填されたディスクに記録されている音声フォーマットの一覧を表示させる。図４は、音声フォーマットの選択画面の例を示したものである。この例では、「dts 5.1CH 」との表示ａと、「Dolby Digital 5.1CH 」との表示ｂと、「Dolby Digital 2.0CH 」との表示ｃとが行われて、これら３種類で音声データが記録されていることを示している。そして、選択される音声フォーマットを示す印ｘについても表示させるようにしてある。なお、記録された音声フォーマットが２種類である場合には、この選択画面で、該当する２種類だけを表示させる。また、同じ音声フォーマットで、原語による音声と、吹き替えによる音声のように、２種類の音声が記録されている場合には、それぞれの種類についても一覧中に表示させる。
【００３４】
このように表示された状態で、ユーザが操作釦１２を介した操作などを行って、選択される音声フォーマットを示す印ｘが表示される位置を選んだ後、確定操作を行うことで、音声フォーマットが選択できる。即ち、ステップＳＰ７において、ユーザ選択操作があるか否か判断し、選択操作があるとステップＳＰ８に移り、その選択が「dts 5.1CH 」であるか否か判断し、該当する音声フォーマットの選択である場合に、ステップＳＰ９に移り、「dts 5.1CH 」の音声データの再生を行って、該当するフォーマットのデコードを行うように設定する。また、ステップＳＰ８で「dts 5.1CH 」の選択でないと判断した場合には、ステップＳＰ１０に移り、その選択が「Dolby Digital 5.1CH 」であるか否か判断し、該当する音声フォーマットの選択である場合に、ステップＳＰ１１に移り、「Dolby Didital 5.1CH 」の音声データの再生を行って、該当するフォーマットのデコードを行うように設定する。さらに、ステップＳＰ１０で「dts 5.1CH 」の選択でないと判断した場合には、ステップＳＰ１２に移り、その選択が「Dolby Digital 2.0CH 」であるか否か判断し、該当する音声フォーマットの選択である場合に、ステップＳＰ１３に移り、「Dolby Digital 2.0CH 」の音声データの再生を行って、該当するフォーマットのデコードを行うように設定する。
【００３５】
これらの選択がない場合には、ステップＳＰ７の判断を行って待機する。なお、ステップＳＰ６で再生可能な音声フォーマットの一覧を表示させてから、ステップＳＰ７でのユーザ選択がある程度の時間以上ない場合には、この再生装置に予め決められた音声フォーマットをコントローラ６が自動的に選ぶようにしても良い。
【００３６】
そして、ステップＳＰ９，ＳＰ１１，ＳＰ１３での音声フォーマットの設定が行われると、ステップＳＰ１４に移って、そのときに再生設定した音声フォーマットを、そのディスクのディスクＩＤと対応させて、メモリ１４に記憶させる。その後、ステップＳＰ１５に移り、設定された音声フォーマットの音声データを再生に使用して、コンテンツの再生を行い、そのコンテンツの再生が終了すると、ステップＳＰ１６に移って、このときの処理を終了する。
【００３７】
このようにしてディスク再生時に音声フォーマットを選択する処理が実行されることで、例えば、過去に一度もこの再生装置１で再生させたことがないディスクを再生させる場合（又はあっても既にメモリ１４に記憶が残っていない場合）には、再生が開始される前に、音声フォーマットについての再生設定を選ぶ画面が表示されるようになり、その画面での表示に基づいて直ちにユーザが所望の選択を行うことができ、メニュー画面を呼び出すような煩雑な操作をすることなく、簡単に再生設定を行うことができる。この再生設定を選ぶ画面をユーザが確認することで、実際に選択可能なフォーマットが判り、ディスクに記録されたフォーマットの中で、ユーザにとって最適な再生フォーマットを選定できることになる。
【００３８】
また、一度、再生設定を選んだコンテンツを再度再生させる場合には、選択された音声フォーマットの設定がメモリ１４に記憶されているので、その記憶されたものを設定させることで、自動的にそのコンテンツに対する最適な設定が行えるようになり、メモリ１４に記憶が残っている限りは、音声選択操作をする必要がなく、簡単にそのディスクに適した再生が行える。
【００３９】
なお、メモリ１４に記憶がある場合であっても、メニュー画面などから音声の選択画面を表示させて、音声フォーマット（又は種類）を選ぶ操作を行うことで、そのとき選ばれたフォーマットでの再生が行えると共に、メモリ１４の記憶データを更新させて、以後にそのディスクが装填されたときに選ばれる音声フォーマットについても変更させることが可能である。
【００４０】
また、ここまでの説明では、音声フォーマットを選択する場合の処理について説明したが、再生される音声の言語を選ぶ処理や、再生される映像に表示される字幕の言語などの、その他の再生設定を選ぶ処理を、同様の処理で行うようにしても良い。音声フォーマットを選ぶ場合でも、上述したフォーマット以外のフォーマットを設定するようにしても良い。
【００４１】
また、上述した実施の形態では、ディスクＩＤを使用して、ディスクを単位として再生音声フォーマットなどの設定を選択させると共に、その選択を記憶して以後の再生で使用するようにしたが、ディスクに複数のコンテンツが記録されている場合には、それぞれのコンテンツ単位で、再生設定を選択させて、その選択を記憶して以後の再生に使用するようにしても良い。
【００４２】
また、上述した実施の形態では、ＤＶＤフォーマットのディスクを再生する専用の構成の再生装置を用意して、その再生装置での再生が上述したように処理させるように構成したが、例えば、本発明の処理を行うプログラムを用意して、そのプログラムを、パーソナルコンピュータ装置にインストールして、そのパーソナルコンピュータ装置に接続されたディスクドライブで、ＤＶＤディスクなどの再生を行う際に、同様の処理を行うようにしても良い。
【００４３】
さらに、本発明の処理は、ＤＶＤ規格のディスクの再生に限定されるものではなく、その他の各種規格のディスクや、ディスク以外の記録媒体に記録された各種コンテンツを再生する場合の処理にも適用可能であることは勿論である。
【図面の簡単な説明】
【００４４】
【図１】本発明の一実施の形態による再生装置の全体構成例を示したブロック図である。
【図２】本発明の一実施の形態による処理例を示したフローチャートである。
【図３】本発明の一実施の形態によるディスクのデータ構造例を示した説明図である。
【図４】本発明の一実施の形態による一覧表示画面の例を示した説明図である。
【符号の説明】
【００４５】
１…ＤＶＤ再生装置、６…コントローラ、１１…モニタ装置、１１ａ…表示部、１４…メモリ、Ｄ…ＤＶＤディスク
【図１】
2005129171.tif 000003
【図２】
2005129171.tif 000004
【図３】
2005129171.tif 000005
【図４】
2005129171.tif 000006